(57)【要約】【課題】複数の印刷媒体を綴じた印刷媒体を分離することが可能な情報記録媒体を提供する。【解決手段】複数の印刷媒体（１１−１〜Ｎ：Ｎは、２以上の整数）を接着剤（１２）を用いて綴じ合せ、帳票冊子（１０）を構成し、該構成した帳票冊子（１０）を容器（２０）に封入して形成した情報記録媒体（１）であり、接着剤（１２）は、外部エネルギーの照射により、接着力が少なくとも印刷媒体（１１−１〜Ｎ）を綴じた状態を保てない程度に低減する材質からなる。【選択図】図１
2007168247.tif 000002
【特許請求の範囲】
【請求項１】
複数の印刷媒体を接着剤を用いて綴じた印刷媒体であって、
前記接着剤は、外部エネルギーの照射により、接着力が少なくとも印刷媒体を綴じた状態を保てない程度に低減する材質からなることを特徴とする印刷媒体。
【請求項２】
複数の印刷媒体を２つの接着剤を用いて綴じた印刷媒体であって、
第１の接着剤は、外部エネルギーの照射により、接着力が少なくとも印刷媒体を綴じた状態を保てない程度に低減する材質からなり、
第２の接着剤は、外部エネルギーの照射によっても接着力が低減しない材質からなることを特徴とする印刷媒体。
【請求項３】
複数の印刷媒体を接着剤を用いて綴じ、該綴じた印刷媒体を容器に封入してなる情報記録媒体であって、
前記接着剤は、外部エネルギーの照射により、接着力が少なくとも印刷媒体を綴じた状態を保てない程度に低減する材質からなることを特徴とする情報記録媒体。
【請求項４】
複数の印刷媒体を２つの接着剤を用いて綴じ、該綴じた印刷媒体を容器に封入してなる情報記録媒体であって、
第１の接着剤は、外部エネルギーの照射により、接着力が少なくとも印刷媒体を綴じた状態を保てない程度に低減する材質からなり、
第２の接着剤は、外部エネルギーの照射によっても接着力が低減しない材質からなることを特徴とする情報記録媒体。
【請求項５】
外部エネルギーの照射により、接着力が少なくとも印刷媒体を綴じた状態を保てない程度に低減する接着剤を用いて、複数の印刷媒体を綴じる綴じ工程と、
前記綴じ工程により綴じた複数の印刷媒体を容器に封入する封入工程と、
前記封入工程により複数の印刷媒体を封入した容器に対し、外部エネルギーを照射し、前記綴じた印刷媒体を、個々の印刷媒体に分離させる分離工程と、
を行うことを特徴とする情報記録媒体の製造方法。
【請求項６】
外部エネルギーの照射により、接着力が少なくとも印刷媒体を綴じた状態を保てない程度に低減する第１の接着剤と、外部エネルギーの照射によっても接着力が低減しない第２の接着剤と、を用いて、複数の印刷媒体を綴じる綴じ工程と、
前記綴じ工程により綴じた複数の印刷媒体を容器に封入する封入工程と、
前記封入工程により複数の印刷媒体を封入した容器に対し、外部エネルギーを照射し、前記第１の接着剤を用いて綴じた部分の印刷媒体のみを、個々の印刷媒体に分離させる分離工程と、
を行うことを特徴とする情報記録媒体の製造方法。
【請求項７】
前記複数の印刷媒体に対し、前記綴じ工程により綴じる印刷媒体を識別するための印を施す印工程と、
前記印工程により施された印を基に、前記複数の印刷媒体を、前記綴じ工程により綴じる印刷媒体と、前記綴じ工程により綴じない印刷媒体と、に分別する分別工程と、
を行い、
前記綴じ工程は、前記分別工程により分別された印刷媒体を、前記接着剤を用いて綴じることを特徴とする請求項５または６記載の情報記録媒体の製造方法。
【発明の詳細な説明】
【技術分野】
【０００１】
本発明は、複数の印刷媒体を接着剤を用いて綴じた印刷媒体、その印刷媒体を容器に封入してなる情報記録媒体、及び、その情報記録媒体の製造方法に関するものである。
【背景技術】
【０００２】
従来の帳票は、複数の印刷媒体を綴じ合せて形成しているため、その複数の印刷媒体の中から特定の印刷媒体を選定し、その選定した特定の印刷媒体に対し、捺印等の処理を施すことになり、特定の印刷媒体に対して、捺印等の処理を施すまでの作業過程が煩雑となり、また、その作業過程において誤作業を誘発するという懸念があった。
【０００３】
例えば、複数の印刷媒体が綴じた状態の帳票を店頭に持参した場合には、店員がその複数の印刷媒体が綴じた状態の帳票の中から特定の印刷媒体を選定し、その選定した特定の印刷媒体に対して、捺印等の特定の処理を施すことになるため、店員が、特定の印刷媒体以外の印刷媒体に対し、捺印等の特定の処理を施してしまう問題が想定される。特に、帳票を構成する印刷媒体の枚数が多くなるにつれて上述した問題は多発することになる。このようなことから、各印刷媒体が分離している状態を保持し、捺印等の特定の処理を施したい印刷媒体のみを店員に手渡すようにすることが好ましい。
【０００４】
しかしながら、各印刷媒体が分離している状態では、各印刷媒体を封筒等の容器に封入する際の処理が面倒となるため、各印刷媒体を容器に封入する際には、各印刷媒体が一体化していることが好ましい。
【０００５】
このため、上述した条件を加味し、封筒等の容器に封入する際には、各印刷媒体を一体化させて封入処理を容易にしつつ、且つ、各印刷媒体が分離している状態を保持するようにしたいのが現状である。
【０００６】
なお、本発明より先に出願された技術文献として、（Ａ）水性エマルジョンに、（Ｂ）充填材、（Ｃ）発泡剤及び（Ｄ）離型剤を配合して成る易剥離性水性接着剤を用い積層した複合パネルを、エネルギー照射し剥離させることで、容易に剥離可能とした複合パネルの剥離方法が開示された文献がある（例えば、特許文献１参照）。
【０００７】
また、ストリートによって区画されて複数の回路が表面に形成された半導体ウェーハを個々の回路ごとの半導体チップに分割する半導体チップの製造方法であって、光を透過させる支持基板に、光を受けると粘着力が低下する粘着層を介在させて半導体ウェーハの表面を貼着し、該半導体ウェーハの裏面を露出させる支持基板一体化工程と、該支持基板と一体になった半導体ウェーハを研削装置のチャックテーブルに載置して該半導体ウェーハの裏面を研削する研削工程と、該研削工程後の支持基板と一体となっている半導体ウェーハの裏面にテープを貼着すると共に該テープの外周をフレームで支持するテープ貼着工程と、該テープ貼着工程の前または後に該支持基板側から粘着層に対して光を照射して該粘着層の粘着力を低下させ、該テープ貼着工程の後に該半導体ウェーハの表面から該支持基板と粘着層とを取り外して該半導体ウェーハをテープ及びフレームに支持させる貼り替え工程と、該テープ及びフレームに支持された半導体ウェーハをダイシング装置のチャックテーブルに載置し、複数の回路を区画するストリートを切断して個々の半導体チップに分割するダイシング工程とを含み、半導体ウェーハまたは半導体チップを損傷させずに、支持基板から取り外すことを可能とする半導体チップの製造方法が開示された文献がある（例えば、特許文献２参照）。
【特許文献１】特開２００４−８３６０３号公報
【特許文献２】特開２００４−２９６８３９号公報
【発明の開示】
【発明が解決しようとする課題】
【０００８】
なお、上記特許文献１には、易剥離性水性接着剤を用いて積層した複合パネルを、エネルギー照射し、剥離させる点について開示されているが、外部エネルギーの照射により接着力が低減する接着剤を用いて複数の印刷媒体を綴じることについては考慮されたものではない。
【０００９】
また、上記特許文献２には、粘着層に対して光を照射して粘着層の粘着力を低下させ、支持基板と粘着層とを取り外す点について開示されているが、外部エネルギーの照射により接着力が低減する接着剤を用いて複数の印刷媒体を綴じることについては考慮されたものではない。
【００１０】
本発明は上記事情に鑑みてなされたものであり、複数の印刷媒体を綴じた印刷媒体を分離することが可能な印刷媒体、その印刷媒体を容器に封入してなる情報記録媒体及びその情報記録媒体の製造方法を提供することを目的とするものである。
【課題を解決するための手段】
【００１１】
かかる目的を達成するために、本発明は以下の特徴を有することとする。
【００１２】
本発明にかかる印刷媒体は、複数の印刷媒体を接着剤を用いて綴じた印刷媒体であって、接着剤は、外部エネルギーの照射により、接着力が少なくとも印刷媒体を綴じた状態を保てない程度に低減する材質からなることを特徴とするものである。
【００１３】
また、本発明にかかる印刷媒体は、複数の印刷媒体を２つの接着剤を用いて綴じた印刷媒体であって、第１の接着剤は、外部エネルギーの照射により、接着力が少なくとも印刷媒体を綴じた状態を保てない程度に低減する材質からなり、第２の接着剤は、外部エネルギーの照射によっても接着力が低減しない材質からなることを特徴とするものである。
【００１４】
また、本発明にかかる情報記録媒体は、複数の印刷媒体を接着剤を用いて綴じ、該綴じた印刷媒体を容器に封入してなる情報記録媒体であって、接着剤は、外部エネルギーの照射により、接着力が少なくとも印刷媒体を綴じた状態を保てない程度に低減する材質からなることを特徴とするものである。
【００１５】
また、本発明にかかる情報記録媒体は、複数の印刷媒体を２つの接着剤を用いて綴じ、該綴じた印刷媒体を容器に封入してなる情報記録媒体であって、第１の接着剤は、外部エネルギーの照射により、接着力が少なくとも印刷媒体を綴じた状態を保てない程度に低減する材質からなり、第２の接着剤は、外部エネルギーの照射によっても接着力が低減しない材質からなることを特徴とするものである。
【００１６】
また、本発明にかかる情報記録媒体の製造方法は、外部エネルギーの照射により、接着力が少なくとも印刷媒体を綴じた状態を保てない程度に低減する接着剤を用いて、複数の印刷媒体を綴じる綴じ工程と、綴じ工程により綴じた複数の印刷媒体を容器に封入する封入工程と、封入工程により複数の印刷媒体を封入した容器に対し、外部エネルギーを照射し、綴じた印刷媒体を、個々の印刷媒体に分離させる分離工程と、を行うことを特徴とするものである。
【００１７】
また、本発明にかかる情報記録媒体の製造方法は、外部エネルギーの照射により、接着力が少なくとも印刷媒体を綴じた状態を保てない程度に低減する第１の接着剤と、外部エネルギーの照射によっても接着力が低減しない第２の接着剤と、を用いて、複数の印刷媒体を綴じる綴じ工程と、綴じ工程により綴じた複数の印刷媒体を容器に封入する封入工程と、封入工程により複数の印刷媒体を封入した容器に対し、外部エネルギーを照射し、第１の接着剤を用いて綴じた部分の印刷媒体のみを、個々の印刷媒体に分離させる分離工程と、を行うことを特徴とするものである。
【００１８】
また、本発明にかかる情報記録媒体の製造方法は、複数の印刷媒体に対し、綴じ工程により綴じる印刷媒体を識別するための印を施す印工程と、印工程により施された印を基に、複数の印刷媒体を、綴じ工程により綴じる印刷媒体と、綴じ工程により綴じない印刷媒体と、に分別する分別工程と、を行い、綴じ工程は、分別工程により分別された印刷媒体を、接着剤を用いて綴じることを特徴とするものである。
【発明の効果】
【００１９】
本発明によれば、外部エネルギーの照射により、接着力が少なくとも印刷媒体を綴じた状態を保てない程度に低減する材質からなる接着剤を用いて複数の印刷媒体を綴じているため、複数の印刷媒体を綴じた印刷媒体を分離することが可能となる。これにより、容器に封入する際の処理を容易にしつつ、且つ、各印刷媒体が分離している状態を保持することが可能となる。
【発明を実施するための最良の形態】
【００２０】
まず、図１を参照しながら、本実施形態の情報記録媒体の特徴について説明する。
【００２１】
本実施形態における情報記録媒体（１）は、複数の印刷媒体（１１−１〜Ｎ：Ｎは、２以上の整数）を接着剤（１２）を用いて綴じ合せ、帳票冊子（１０）を構成し、該構成した帳票冊子（１０）を容器（２０）に封入して形成した情報記録媒体（１）であり、接着剤（１２）は、外部エネルギーの照射により、接着力が少なくとも印刷媒体（１１−１〜Ｎ）を綴じた状態を保てない程度に低減する材質からなることを特徴とするものである。このように、外部エネルギーの照射により接着力が低減する材質からなる接着剤（１２）を用いて複数の印刷媒体（１１−１〜Ｎ）を綴じ合せているため、複数の印刷媒体（１１−１〜Ｎ）を綴じ合せた後に、その綴じ合せて構成した帳票冊子（１０）に対し、外部エネルギーを照射することで、帳票冊子（１０）を個々の印刷媒体（１１−１〜Ｎ）に分離することが可能となる。これにより、複数の印刷媒体（１１−１〜Ｎ）を容器（２０）に封入する際の処理を容易にしつつ、且つ、各印刷媒体（１１−１〜Ｎ）が分離している状態を保持することが可能となる。以下、添付図面を参照しながら、本実施形態における情報記録媒体（１）について説明する。
【００２２】
（第１の実施形態）
まず、図１、図２を参照しながら、本実施形態の情報記録媒体の構成について説明する。
【００２３】
本実施形態における情報記録媒体（１）は、図１に示すように、複数の印刷媒体（１１−１〜Ｎ：Ｎは、２以上の整数）を接着剤（１２）を用いて綴じ合せて構成した帳票冊子（１０）と、その帳票冊子（１０）を封入するための容器（２０）と、を有し、帳票冊子（１０）が容器（２０）に封入されて構成される。そして、図１に示す情報記録媒体（１）に対し、外部エネルギーを照射することで、図２に示すように、接着剤（１２）の接着力が低減し、帳票冊子（１０）を構成する複数の印刷媒体（１１−１〜Ｎ）が個々に分離された状態で、容器（２０）内で保持されることになる。以下、本実施形態における情報記録媒体（１）を構成する各部について説明する。
【００２４】
＜帳票冊子１０＞
帳票冊子（１０）は、複数の印刷媒体（１１−１〜Ｎ）を、接着剤（１２）を用いて綴じ合わせて構成したものである。
【００２５】
印刷媒体（１１−１〜Ｎ）は、各種情報が印刷された記録媒体であり、印刷が可能であればあらゆる材質からなる印刷媒体を適用することは可能である。
【００２６】
接着剤（１２）は、印刷媒体（１１−１〜Ｎ）同士を接着させるためのものであり、本実施形態では、外部エネルギーの照射により接着力が低減する材質からなる接着剤を適用するものとする。これにより、複数の印刷媒体（１１−１〜Ｎ）を綴じ合せて構成した帳票冊子（１０）に対し、外部エネルギーを照射することで、接着剤（１２）の接着力が少なくとも印刷媒体（１１−１〜Ｎ）を綴じた状態を保てない程度に低減し、個々の印刷媒体（１１−１〜Ｎ）に分離させることが可能となる。なお、本実施形態に適用可能な接着剤（１２）としては、以下の成分からなる接着剤（１２）を適用することが可能である。
【００２７】
＜接着剤１２の成分＞
発砲剤含有エチレン酢酸ビニル共重合体：３４％
炭酸カルシウム：２６％
水：４０％
【００２８】
上記成分からなる接着剤（１２）は、不揮発分：５８．７（％）、粘度：２６７０（ｍＰａ・ｓ）、ｐＨ：７．３２となる。なお、上記成分からなる接着剤（１２）は、高周波または熱を照射することで、接着剤（１２）を構成する発砲含有成分が発砲し、接着剤（１２）の接着力が少なくとも印刷媒体（１１−１〜Ｎ）を綴じた状態を保てない程度に低減することになる。
【００２９】
なお、本実施形態に適用可能な接着剤（１２）は、外部エネルギーの照射により、接着力が少なくとも印刷媒体（１１−１〜Ｎ）を綴じた状態を保てない程度に低減する材質からなる接着剤であれば、あらゆる材質の接着剤を適用することは可能である。なお、外部エネルギーとしては、例えば、紫外線，可視光，赤外線，レーザ光等の光エネルギーや、マイクロ波，超音波，電波，磁場等の電磁気エネルギー、加熱，冷却等の本実施例で用いた熱エネルギー等が挙げられる。
【００３０】
＜容器２０＞
容器（２０）は、帳票冊子（１０）を封入するためのものであり、例えば、封筒や箱等が挙げられる。なお、容器（２０）は、帳票冊子（１０）を封入することが可能であれば、あらゆる材質からなる容器を適用することが可能であり、例えば、紙、フィルム等が適用可能である。
【００３１】
次に、図３、図４を参照しながら、本実施形態の情報記録媒体（１）の製造方法について説明する。なお、図３は、帳票冊子（１０）を形成するまでの工程を示す図であり、図４は、容器（２０）内に封入した帳票冊子（１０）を分離するまでの工程を示す図である。
【００３２】
まず、図３に示すように、印刷機（１００）を用いてロールｔｏロールにて印刷媒体（１１−１〜Ｎ）に対し、印刷処理を施す（ステップＳ１）。
【００３３】
次に、印字機（１０１）を用いて、印刷処理を施した印刷媒体（１１−１〜Ｎ）の中から特定の印刷媒体（１１−１〜Ｎ）を選定し、該選定した特定の印刷媒体（１１−１〜Ｎ）に対し、印字処理を施すことになる（ステップＳ２）。なお、印字処理を施す特定の印刷媒体（１１−１〜Ｎ）の選定は、ユーザ毎に設定することが可能であり、これにより、印刷処理を施した印刷媒体（１１−１〜Ｎ）の中からユーザ毎に設定された特定の印刷媒体（１１−１〜Ｎ）のみを選定し、該選定した特定の印刷媒体（１１−１〜Ｎ）のみに、印字処理を施すことが可能となる。
【００３４】
次に、断裁機（１０２）を用いて、印刷媒体（１１−１〜Ｎ）を個々の印刷媒体（１１−１〜Ｎ）に断裁し（ステップＳ３）、読取機（１０３）を用いて、個々の印刷媒体（１１−１〜Ｎ）の中から、印字処理が施された特定の印刷媒体（１１−１〜Ｎ）と、印字処理が施されていない印刷媒体（１１−１〜Ｎ）と、に分別する（ステップＳ４）。そして、印字処理が施されていない印刷媒体（１１−１〜Ｎ）を除去することになる（ステップＳ５）。
【００３５】
次に、塗工機（１０４）を用いて、印字処理が施された特定の印刷媒体（１１−１〜Ｎ）に対し、接着剤（１２）を塗工し（ステップＳ６）、丁合機（１０５）を用いて、その接着剤（１２）を塗工した特定の印刷媒体（１１−１〜Ｎ）を綴じ合せ（ステップＳ７）、帳票冊子（１０）を構成することになる。
【００３６】
次に、図４に示すように、帳票冊子（１０）を容器（２０）の開口部（２１）から挿入し（ステップＳ８）、容器（２０）の開口部（２１）を封緘し（ステップＳ９）、図１に示すように、容器（２０）に帳票冊子（１０）が封入された情報記録媒体（１）を形成する。
【００３７】
次に、エネルギー照射機（１０６）を用いて、容器（２０）に帳票冊子（１０）が封入された情報記録媒体（１）に対し、外部エネルギーを照射し（ステップＳ１０）、帳票冊子（１０）を構成する複数の印刷媒体（１１−１〜Ｎ）を個々の印刷媒体（１１−１〜Ｎ）に分離する。
【００３８】
これにより、図２に示すように、容器（２０）内で個々の印刷媒体（１１−１〜Ｎ）が分離された情報記録媒体（１）を形成することが可能となる。
【００３９】
このように、本実施形態における情報記録媒体（１）は、複数の印刷媒体（１１−１〜Ｎ）を、外部エネルギーの照射により、接着力が少なくとも印刷媒体を綴じた状態を保てない程度に低減する接着剤（１２）を用いて綴じ合せ、帳票冊子（１０）を構成し、その帳票冊子（１０）を容器（２０）に封入し、複数の印刷媒体（１１−１〜Ｎ）が一体化された帳票冊子（１０）が封入された情報記録媒体（１）を形成する。そして、その情報記録媒体（１）の外部から外部エネルギーを照射し、容器（２０）に封入された帳票冊子（１０）を個々の印刷媒体（１１−１〜Ｎ）に分離する。これにより、容器（２０）内で個々の印刷媒体（１１−１〜Ｎ）が分離された情報記録媒体（１）を形成することが可能となる。これにより、複数の印刷媒体（１１−１〜Ｎ）を容器（２０）に封入する際の処理を容易にしつつ、且つ、各印刷媒体（１１−１〜Ｎ）が分離している状態を保持することが可能となる。
【００４０】
また、印刷処理を施した印刷媒体（１１−１〜Ｎ）の中から、ユーザ毎に設定された特定の印刷媒体（１１−１〜Ｎ）のみに印字処理を施し、その印字処理が施された特定の印刷媒体（１１−１〜Ｎ）のみを取得し、該取得した特定の印刷媒体（１１−１〜Ｎ）を基に帳票冊子（１０）を構成するように構築することで、個々のユーザ毎に選定した帳票冊子（１０）を構成することが可能となる。
【００４１】
（第２の実施形態）
次に、第２の実施形態について説明する。
【００４２】
第２の実施形態における情報記録媒体は、図５に示すように、外部エネルギーの照射により、接着力が少なくとも印刷媒体を綴じた状態を保てない程度に低減する第１の接着剤（１２）と、外部エネルギーの照射によっても接着力が低減しない第２の接着剤（１３）と、の２つの接着剤（１２、１３）を用いて、複数の印刷媒体（１１−１〜Ｎ：Ｎは、３以上の整数）を綴じ合せ、帳票冊子（１０）を構成することを特徴とするものである。これにより、帳票冊子（１０）を構成する複数の印刷媒体（１１−１〜Ｎ）の中で分離したい部分の印刷媒体（１１−１〜Ｎ）のみに第１の接着剤（１２）を用いて綴じ合せることで、図６に示すように、帳票冊子（１０）を構成する複数の印刷媒体（１１−１〜Ｎ）の中で特定の印刷媒体（１１−１〜Ｎ）のみを分離することが可能となる。以下、図５、図６を参照しながら、第２の実施形態における情報記録媒体について説明する。
【００４３】
まず、図５、図６を参照しながら、第２の実施形態の情報記録媒体（１）の構成について説明する。
【００４４】
第２の実施形態における情報記録媒体（１）は、図５に示すように、外部エネルギーの照射により、接着力が少なくとも印刷媒体を綴じた状態を保てない程度に低減する第１の接着剤（１２）と、外部エネルギーの照射によっても接着力が低減しない第２の接着剤（１３）と、の２つの接着剤（１２、１３）を用いて、複数の印刷媒体（１１−１〜Ｎ：Ｎは、３以上の整数）を綴じ合せて構成した帳票冊子（１０）と、その帳票冊子（１０）を封入するための容器（２０）と、を有し、帳票冊子（１０）が容器（２０）に封入されて構成される。そして、図５に示す情報記録媒体（１）に対し、外部エネルギーを照射することで、図６に示すように、第１の接着剤（１２）の接着力が低減し、帳票冊子（１０）を構成する複数の印刷媒体（１１−１〜Ｎ）の中で、第１の接着剤（１２）を用いて綴じ合せた部分の印刷媒体（１１−１〜Ｎ）のみが個々に分離された状態で、容器（２０）内で保持されることになる。
【００４５】
なお、第２の実施形態における情報記録媒体（１）を構成する第２の接着剤（１３）は、外部エネルギーの照射によっても接着力が低減しない材質からなる接着剤であれば、あらゆる材質からなる接着剤を適用することは可能である。また、第２の実施形態の情報記録媒体（１）を構成する第２の接着剤（１３）以外の各部については、第１の実施形態と同様である。
【００４６】
次に、図７、図８を参照しながら、第２の実施形態の情報記録媒体（１）の製造方法について説明する。なお、図７は、帳票冊子（１０）を形成するまでの工程を示す図であり、図８は、容器（２０）内に封入した帳票冊子（１０）を分離するまでの工程を示す図である。
【００４７】
まず、図７に示すように、印刷機（２００）を用いてロールｔｏロールにて印刷媒体（１１−１〜Ｎ）に対し、印刷処理を施す（ステップＳ１１）。
【００４８】
次に、印字機（２０１）を用いて、印刷処理を施した印刷媒体（１１−１〜Ｎ）の中から特定の印刷媒体（１１−１〜Ｎ）を選定し、該選定した特定の印刷媒体（１１−１〜Ｎ）に対し、印字処理を施すことになる（ステップＳ１２）。この時、第２の実施形態における情報記録媒体（１）を構成するために、第１の接着剤（１２）を用いて塗工する印刷媒体（１１−１〜Ｎ）と、第２の接着剤（１３）を用いて塗工する印刷媒体（１１−１〜Ｎ）と、を識別するための識別情報を印刷媒体（１１−１〜Ｎ）に対して施すことになる。なお、本実施形態では、第１の接着剤（１２）を用いて塗工する印刷媒体（１１−１〜Ｎ）に対して識別情報を施すことにする。
【００４９】
次に、断裁機（２０２）を用いて、印刷媒体（１１−１〜Ｎ）を個々の印刷媒体（１１−１〜Ｎ）に断裁し（ステップＳ１３）、読取機（２０３）を用いて、個々の印刷媒体（１１−１〜Ｎ）の中から、印字処理が施された特定の印刷媒体（１１−１〜Ｎ）と、印字処理が施されていない印刷媒体（１１−１〜Ｎ）と、に分別し（ステップＳ１４）、印字処理が施されていない印刷媒体（１１−１〜Ｎ）を除去することになる（ステップＳ１５）。
【００５０】
次に、塗工機（２０４）を用いて、印字処理が施された特定の印刷媒体（１１−１〜Ｎ）に対し、接着剤（１２、１３）を塗工することになる（ステップＳ１６）。この時、識別情報が施された印刷媒体（１１−１〜Ｎ）に対しては、第１の接着剤（１２）を塗工し、また、識別情報が施されていない印刷媒体（１１−１〜Ｎ）に対しては、第２の接着剤（１３）を塗工することになる。
【００５１】
次に、丁合機（２０５）を用いて、第１の接着剤（１２）を塗工した印刷媒体（１１−１〜Ｎ）と、第２の接着剤（１３）を塗工した印刷媒体（１１−１〜Ｎ）と、を綴じ合せ（ステップＳ１７）、第１の接着剤（１２）と、第２の接着剤（１３）と、を用いて印刷媒体（１１−１〜Ｎ）を綴じ合せた帳票冊子（１０）を構成することになる。
【００５２】
次に、図８に示すように、帳票冊子（１０）を容器（２０）の開口部（２１）から挿入し（ステップＳ１８）、容器（２０）の開口部（２１）を封緘し（ステップＳ１９）、図５に示すように、容器（２０）に帳票冊子（１０）が封入された情報記録媒体（１）を形成する。
【００５３】
次に、エネルギー照射機（２０６）を用いて、容器（２０）に帳票冊子（１０）が封入された情報記録媒体（１）に対し、外部エネルギーを照射し（ステップＳ２０）、帳票冊子（１０）を構成する複数の印刷媒体（１１−１〜Ｎ）の中から第１の接着剤（１２）を用いて綴じ合せた部分の印刷媒体（１１−１〜Ｎ）のみを、個々の印刷媒体（１１−１〜Ｎ）に分離させることになる。
【００５４】
これにより、図６に示すように、容器（２０）内で第１の接着剤（１２）を用いて綴じ合せた部分の印刷媒体（１１−１〜Ｎ）のみが個々の印刷媒体（１１−１〜Ｎ）に分離された状態の情報記録媒体（１）を形成することが可能となる。
【００５５】
このように、第２の実施形態における情報記録媒体（１）は、複数の印刷媒体（１１−１〜Ｎ）を、外部エネルギーの照射により、接着力が少なくとも印刷媒体を綴じた状態を保てない程度に低減する第１の接着剤（１２）と、外部エネルギーの照射によっても接着力が低減しない第２の接着剤（１３）と、を用いて綴じ合せ、帳票冊子（１０）を構成し、その帳票冊子（１０）を容器（２０）に封入し、複数の印刷媒体（１１−１〜Ｎ）が一体化された帳票冊子（１０）が封入された情報記録媒体（１）を形成する。そして、その情報記録媒体（１）の外部から外部エネルギーを照射し、第１の接着剤（１２）を用いて綴じ合せた部分の印刷媒体（１１−１〜Ｎ）のみを、個々の印刷媒体（１１−１〜Ｎ）に分離する。これにより、容器（２０）内で第１の接着剤（１２）を用いて綴じ合せた部分の印刷媒体（１１−１〜Ｎ）のみを分離させた情報記録媒体（１）を形成することが可能となる。
【００５６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５７】
例えば、上記実施形態において説明した製造工程では、読取機（１０３、２０３）を用いて、個々の印刷媒体（１１−１〜Ｎ）の中から、印字処理が施された特定の印刷媒体（１１−１〜Ｎ）と、印字処理が施されていない印刷媒体（１１−１〜Ｎ）と、に分別し、印字処理が施されていない印刷媒体（１１−１〜Ｎ）を除去することにしたが、印刷処理を施した複数の印刷媒体（１１−１〜Ｎ）の中からユーザ毎に設定された特定の印刷媒体（１１−１〜Ｎ）のみを選定し、該選定した特定の印刷媒体（１１−１〜Ｎ）のみを接着剤（１２、１３）を用いて綴じ合せ、帳票冊子（１０）を構成することが可能であれば、印字処理や、分別処理については、特に限定するものではなく、あらゆる公知の手法を用いて行うことが可能である。
【００５８】
また、上記第２の実施形態において説明した製造工程では、第１の接着剤（１２）を用いて塗工する印刷媒体（１１−１〜Ｎ）と、第２の接着剤（１３）を用いて塗工する印刷媒体（１１−１〜Ｎ）と、を識別するための識別情報を印刷媒体（１１−１〜Ｎ）に対して施すことにしたが、塗工機（２０４）において、第１の接着剤（１２）を用いて塗工する印刷媒体（１１−１〜Ｎ）と、第２の接着剤（１３）を用いて塗工する印刷媒体（１１−１〜Ｎ）と、が識別できれば、あらゆる公知の手法を用いて行うことが可能である。
【産業上の利用可能性】
【００５９】
本発明にかかる印刷媒体、情報記録媒体及び情報記録媒体の製造方法は、複数の印刷媒体を容器に封入して保持するものに適用可能であり、例えば、ダイレクトメール、冊子、帳票などに適用可能である。
【図面の簡単な説明】
【００６０】
【図１】第１の実施形態の情報記録媒体（１）の構成を示す図であり、外部エネルギーを照射する前の状態を示す図である。
【図２】第１の実施形態の情報記録媒体（１）の構成を示す図であり、外部エネルギーを照射した後の状態を示す図である。
【図３】第１の実施形態の情報記録媒体（１）を製造する際の製造工程を示す第１の図であり、帳票冊子（１０）を形成するまでの工程を示す図である。
【図４】第１の実施形態の情報記録媒体（１）を製造する際の製造工程を示す第２の図であり、容器（２０）内に封入した帳票冊子（１０）を分離するまでの工程を示す図である。
【図５】第２の実施形態の情報記録媒体（１）の構成を示す図であり、外部エネルギーを照射する前の状態を示す図である。
【図６】第２の実施形態の情報記録媒体（１）の構成を示す図であり、外部エネルギーを照射した後の状態を示す図である。
【図７】第２の実施形態の情報記録媒体（１）を製造する際の製造工程を示す第１の図であり、帳票冊子（１０）を形成するまでの工程を示す図である。
【図８】第２の実施形態の情報記録媒体（１）を製造する際の製造工程を示す第２の図であり、容器（２０）内に封入した帳票冊子（１０）を分離するまでの工程を示す図である。
【符号の説明】
【００６１】
１    情報記録媒体
１０    帳票冊子
１１−１〜Ｎ    印刷媒体
１２    接着剤（外部エネルギーの照射により接着力が低減する接着剤）
１３    接着剤（外部エネルギーの照射によっても接着力が低減しない接着剤）
２０    容器
２１    開口部
１００、２００    印刷機
１０１、２０１    印字機
１０２、２０２    断裁機
１０３、２０３    読取機
１０４、２０４    塗工機
１０５、２０５    丁合機
１０６、２０６    エネルギー照射機
【図１】
2007168247.tif 000003
【図２】
2007168247.tif 000004
【図３】
2007168247.tif 000005
【図４】
2007168247.tif 000006
【図５】
2007168247.tif 000007
【図６】
2007168247.tif 000008
【図７】
2007168247.tif 000009
【図８】
2007168247.tif 000010